(57)【特許請求の範囲】
【請求項１】
装置であって、該装置は、以下：
携帯型ハウジングであって、該ハウジングが、軸に中心がある開口末端および該開口末端から軸方向に外向きに面しているハウジング接合面を有する、携帯型ハウジング；
モーターであって、該モーターが、該ハウジング内にあり、該軸に沿って伸長している出力シャフトを有する、モーター；
ガードであって、該ガードが、取付穴を備えたガードフランジを有する、ガード；
アーバであって、該アーバが、該シャフトから、該取付穴を通って、軸方向に伸長するように構成されている、アーバ；
突切りディスクであって、該ディスクが、該アーバ上で受容可能である、突切りディスク；ならびに
バネであって、該バネが、該ハウジング接合面と該ガードフランジとの間でそれらによって圧縮係合されて、その結果、該バネが、該ガードを該軸の回りで旋回しないように解除可能に制止するような設置位置で受容されるように構成されている、バネ、
を備え、
該ハウジングが、該軸の中心にある内部ネジ山をさらに有し、そして
該装置が、該アーバを受容するボアを有する管状取付具を備え、該管状取付具は、外部ネジ山、軸方向に面した取付接合面および取付シャンク部をさらに備え、該外部ネジ山は、該内部ネジ山と係合可能であり、該取付シャンク部は、該取付接合面と該外部ネジ山との間に配置され、
該バネが該設置位置にある場合、該バネが、該取付シャンク部の上で受容される、装置。
【請求項２】
装置であって、該装置は、以下：
携帯型ハウジングであって、該ハウジングは、軸に中心がある開口末端、該軸に中心がある内部ネジ山、および該開口末端から軸方向に外向きに面しているハウジング接合面を有する、ハウジング；
モーターであって、該モーターが、該ハウジング内にあり、出力シャフトを有する、モーター；
該出力シャフトに装着されているアーバ；
該アーバに留められている突切りディスク；
管状取付具であって、該管状取付具が、以下：
該アーバを受容するボア；
該内部ネジ山と係合している外部ネジ山；
該ハウジング接合面に向かって軸方向に面した取付接合面；および
該取付接合面と該外部ネジ山との間に軸方向に位置している取付シャンク部、を有する、管状取付け具；
ガードであって、該ガードは、該突切りディスクを部分的に取り囲んでおり、そして環状ガードフランジを有し、該ガードフランジは、該ハウジング接合面と該取付接合面との間で、軸方向に、該取付シャンク部の上で、受容されている、ガード；ならびに
バネであって、該バネは、該取付シャンク部の上で受容されており、そして該ハウジング接合面と該ガードフランジとの間で、軸方向に圧縮されて、それにより、該ガードは、該バネによって加えられた拘束力により、該取付シャンク部の回りで旋回しないように、解除可能に制止される、バネ、
を備える、装置。
【請求項３】
前記取付具が、前記モーターと隣接している、請求項２に記載の装置。
【請求項４】
前記ハウジング接合面が、前記環状開口末端の軸方向外縁である、請求項２に記載の装置。
【請求項５】
前記取付具が、該取付具の軸方向外縁において、締め器具によって該取付具を回転できるように構成された構造体を有する、請求項２に記載の装置。
【請求項６】
前記構造体が、レンチにより前記取付具を回転できるように構成された平面を含む、請求項５に記載の装置。
【発明の詳細な説明】
【０００１】
【発明の属する技術分野】
本発明は、携帯型ロータリー突切りディスク用の保護ガードに関する。
【０００２】
【従来の技術】
携帯型ロータリー突切りディスクは、電気式モーターまたは空気式モーターにより駆動される研磨ロータリー突切りディスクを有し、そしてワークピースを切断するのに使用されている。この突切りディスクは、典型的には、保護ガードを有し、これは、この突切りディスクを部分的に取り囲んでいる。
【０００３】
図１は、従来技術の空気式携帯型ロータリー突切りディスク１０を示す。ディスク１０は、手で握るように構成されたハウジング１２を有する。ディスク１０はまた、研磨突切りディスク１４を有し、これは、アーバ１６の末端に装着されており、このアーバは、回転軸１８に沿って同心円的に整列されている。ハウジング１２の空洞２２内にある空気式モーター２０は、軸１８の回りでアーバ１６および突切りディスク１４を回転させる。ディスク１０はまた、半鐘形状の保護ガード２４を有する。このガード２４は、必要に応じて、調節のために軸１８の回りで旋回できるが、ディスク１４と共には回転しない。
【０００４】
図２は、図１の突切りディスク１０の主要部品の分解図を示す。ディスク１０は、ナット３０を有し、これは、ガード２４をハウジング１２に間接的に装着するのに役立つ。ナット３０は、ナット３０全体を通って軸１８に沿って伸長しているネジ山なしナットボア３２を有する。ナット３０はまた、一端では、外部ネジ山３４を有し、そして他端では、２つの平面３８を備えたトルク構造体３６を有し、また、その間に、滑らかなナットシャンク部４０を有する。ナットシャンク部４０は、その円周に沿って伸長している溝部４２を有する。ナット接合面（ａｂｕｔｍｅｎｔ  ｓｕｒｆａｃｅ）４４は、外部ネジ山３４とナットシャンク部４０との間に位置している。
【０００５】
突切りディスク１４は、ネジ４６により、アーバ１６に装着されている。アーバ１６は、ナットボア３２を通り、そしてモーター２０の出力シャフト４８に接続され、それによって回転される。ナット３０は、ハウジング１２にネジで取り付けられている。
【０００６】
ガード２４は、ナットシャンク部４０を受容する取付穴５２を備えたフラットガードフランジ５０を有する。ガードフランジ５０は、第一フラットワッシャー５４、ウェーブワッシャー５６およびナット接合面４４により、その軸方向内面で、所定位置で保持されている。ガードフランジ５０は、第二フラットワッシャー５８および固定リング６０（これは、溝部４２にスナップ留めされる）により、その軸方向外面で、所定位置で保持されている。ウェーブワッシャー５６は、ナット接合面４４とフラットワッシャー５４との間で、それらによって圧縮係合されている。ウェーブワッシャー５６からの圧力は、フラットワッシャー５４を通って、ガードフランジ５０に伝達されて、ガード２４がナットシャンク部４０の回りで旋回するのを解除可能に制止させる。
【０００７】
図３は、第二の従来技術の突切りディスク６２の主要部品の分解図を示す。第二突切りディスク６２の部品および全体的な設計は、第一突切りディスク１０のものと類似している。第二の従来技術の突切りディスク６２は、ナット６４を有し、これは、第一突切りディスク１０のナット３０と同じ機能を果たす。ナット６４は、ネジ山なしナットボア６６を有する。ナット６４はまた、一端では、外部ネジ山７０を有し、そして他端では、滑らかなナットシャンク部７２を有し、また、その間に、６つの平面７６を有するトルク構造体７４を有する。ナットシャンク部７２は、固定リング溝部７８を有する。ナット接合面８０は、トルク構造体７４とナットシャンク部７２との間に位置している。第二突切りディスク６２もまた、第一突切りディスク１０のガード２４と類似したガード８２を有する。ウェーブワッシャー８４は、ナット接合面８０とガードフランジ８６との間で、それらによって圧縮係合されている。
【０００８】
第一突切りディスク１０と第二の従来技術の突切りディスク６２との間のいくつかの相違点は、以下のとおりである：第二の従来技術のディスク６２には、第一の従来技術来のディスク１０のフラットワッシャー５４および５８がない。第二の従来技術のディスク６２のナット６４のシャンク部７２、トルク構造体７４および接合面８０は、第一の従来技術のディスク１０のナット３０の対応する特徴（シャンク部４０、トルク構造体３６および接合面４４）とは異なる順序で配置されている。
【０００９】
【発明が解決しようとする課題】
本発明の目的は、携帯型ロータリー突切りディスク用の保護ガードを提供することである。
【００１０】
【課題を解決するための手段】
本発明は、装置であって、装置は、以下：
携帯型ハウジングであって、ハウジングが、軸に中心がある開口末端および開口末端から軸方向に外向きに面しているハウジング接合面を有する、携帯型ハウジング；
モーターであって、モーターが、ハウジング内にあり、軸に沿って伸長している出力シャフトを有する、モーター；
ガードであって、ガードが、取付穴を備えたガードフランジを有する、ガード；
アーバであって、アーバが、シャフトから、取付穴を通って、軸方向に伸長するように構成されている、アーバ；
突切りディスクであって、ディスクが、アーバ上で受容可能である、突切りディスク；ならびに
バネであって、バネは、設置位置で受容されるように構成されており、設置位置では、バネは、ハウジング接合面とガードフランジとの間でそれらによって圧縮係合されて、その結果、バネが、ガードを軸の回りで旋回しないように解除可能に制止する、バネ、
を備える、装置である。このことにより上記目的が達成される。
【００１１】
好適な実施形態においては、上記ハウジングが、上記軸の中心にある内部ネジ山をさらに有し、そして
上記装置が、上記アーバを受容するボアを有する管状取付具、上記内部ネジ山と係合可能な外部ネジ山、軸方向に面した取付接合面、および取付接合面と外部ネジ山との間の取付シャンク部をさらに備え、
上記バネが上記設置位置にある場合、バネが、取付シャンク部の上で受容される。
【００１２】
本発明はまた、装置であって、装置は、以下：
携帯型ハウジングであって、ハウジングは、軸に中心がある開口末端、軸に中心がある内部ネジ山、および開口末端から軸方向に外向きに面しているハウジング接合面を有する、ハウジング；
モーターであって、モーターが、ハウジング内にあり、出力シャフトを有する、モーター；
出力シャフトに装着されているアーバ；
アーバに留められている突切りディスク；
管状取付具であって、管状取付具が、以下：
アーバを受容するボア；
内部ネジ山と係合している外部ネジ山；
ハウジング接合面に向かって軸方向に面した取付接合面；および
取付接合面と外部ネジ山との間に軸方向に位置している取付シャンク部、を有する、管状取付け具；
ガードであって、ガードは、突切りディスクを部分的に取り囲んでおり、そして環状ガードフランジを有し、ガードフランジは、ハウジング接合面と取付接合面との間で、軸方向に、取付シャンク部の上で、受容されている、ガード；ならびに
バネであって、バネが、ハウジング接合面とガードフランジとの間でそれらによって圧縮係合されて、その結果、バネが、ガードを該軸の回りで旋回しないように解除可能に制止するような設置位置で受容されるように構成されている、バネ、
を備える、装置である。
【００１３】
好適な実施形態においては、上記取付具が、上記モーターと隣接している。
【００１４】
好適な実施形態においては、上記ハウジング接合面が、上記環状開口末端の軸方向外縁である。
【００１５】
好適な実施形態においては、上記取付具が、取付具の軸方向外縁において、締め器具によって取付具を回転できるように構成された構造体を有する。
【００１６】
好適な実施形態においては、上記構造体が、レンチにより上記取付具を回転できるように構成された平面を含む。
【００１７】
【発明の実施の形態】
本発明に従って、ロータリー突切りディスクは、携帯型ハウジングを有する。このハウジングは、軸に中心がある開口末端、および開口末端から軸方向に外向きに面しているハウジング接合面を有する。このハウジング内のモーターは、この軸に沿って伸長している出力シャフトを有する。ガードは、取付穴を備えたガードフランジを有する。アーバは、この取付穴を通って、このシャフトから軸方向に伸長するように、構成されている。このディスクは、さらに、バネおよび突切りディスク（これは、このアーバで受容可能である）を有する。このバネは、設置位置を有し、これは、このハウジング接合面とガードフランジとの間でそれらによって圧縮係合されて、バネが、このガードを軸の回りで旋回しないように解除可能に制止する。
【００１８】
本発明の好ましい実施形態では、このハウジングは、さらに、この軸の中心にある内部ネジ山を有し、このディスクは、さらに、管状取付具を有する。この取付具は、このアーバを受容するボアを有する。この取付具上の外部ネジ山は、このハウジング内の内部ネジ山と係合可能である。この取付具は、さらに、軸方向に面している接合面、および取付接合面と外部ネジ山との間のシャンク部を有する。設置したとき、このバネは、この取付具のシャンク部で受容される。
【実施例】
【００１９】
図４は、本発明の好ましい実施形態を包含する携帯型空気式ロータリー突切りディスク１１０の斜視図を示す。突切りディスク１１０は、ハウジング１１２を有する。突切りディスク１１０はまた、アーバ１１６の末端に研磨突切りディスク１１４を有し、このアーバは、回転軸１１８上に同心円状に整列される。ハウジング１１２内の空気式モーター１２０は、軸１１８の回りで、アーバ１１６および突切りディスク１１４を回転させる。半鐘形状の保護ガード１２２は、突切りディスク１１４のほぼ半分を取り囲む。ガード１２２は、調節のために、必要に応じて、軸１１８の回りを回転し得るが、ディスク１１４と共には回転しない。
【００２０】
図５は、図４の突切りディスク１１０の主要部品の分解図を示す。ハウジング１１２は、環状開口末端面１２８、この末端面１２８から軸方向に内向きに伸長している内部ネジ山１３０、および空洞１３２を有する。この空洞１３２内で、モーター１２０は、正面末端プレート１３５を通って突出している出力シャフト１３４を有する。好ましい実施形態では、アーバ１１６は、図７で示すように、出力シャフト１３４を覆って圧入されているが、その代わりに、ネジ山または任意の他の適切な連結構造体が使用できる。
【００２１】
ディスク１１０は、さらに、管状取付具１３６を備え、これは、ナットと呼ばれ得る。ナット１３６中のネジ山なしナットボア１３８は、ナット１３６全体を通って、軸方向に伸長している。ボア１３８は、アーバ１１６を受容するように構成されている。ナット１３６の軸方向外部末端には、平面１４２を備えた締め構造体（好ましくは、外部六角頭１４０）があり、これは、締め具（例えば、レンチ）でナット１３６を締めることができるように構成されている。外部ネジ山１４６は、ナット１３６の軸方向内部末端１４４から伸長している。外部ネジ山１４６は、ハウジング１１２の内部ネジ山１３０と係合するように構成されている。ナットフランジ１４８は、六角頭１４０に隣接しているが、六角頭１４０とは反対側で末端面１２８に面している軸方向内部接合面１５０を有する（図６）。ナット１３６はまた、ナット接合面１５０と外部ネジ山１４６との間で、滑らかな円筒形ナットシャンク部１５２を有する。
【００２２】
ガード１２２の基部には、円形取付穴１５６（これは、ナットシャンク部１５２を受容するように構成されている）を有するフラットガードフランジ１５４がある。ディスク１１０は、さらに、バネ１５８（この場合、ウェーブワッシャー）を有し、これは、ナットシャンク部１５２を受容してガードフランジ１５４と強制的に係合するように、構成されている。
【００２３】
突切りディスク１１０を組み立てるとき、まず、図５〜７から分かるように、ガードフランジ１５４をナットシャンク部１５２の上で滑らせる。次いで、図５〜７で示すように、ウェーブワッシャー１５８をナットシャンク部１５２の上に滑らせる。ナット１３６は、ハウジング１１２にネジで取り付けられる。六角頭１４０は、ナット１３６が強制的にモーター１２０の前面末端プレート１３５に押し付けられるまで、レンチで回転される。この構成では、外部ネジ山１４６は、内部ネジ山１３０と係合し、そしてガードフランジ１５４およびウェーブワッシャー１５８は、ナット接合面１５０と開放末端面１２８との間で、捕捉されている。
【００２４】
ウェーブワッシャー１５８は、ガードフランジ１５４に対してバネ力を加える。このバネ力は、ナットシャンク１５２の回りでのガード１２２の回転を解除可能に制止する。従って、ガード１２２は、操作者がこのバネ力に打ち勝つのに十分な力でガード１２２を手で回転しない限り、軸１１８の回りで旋回しない。
【００２５】
本発明の特定の特徴に従って、ナット１３６は、図７で示すように、特定の間隙Ｓを規定し、これは、ウェーブワッシャー１５８を圧縮するのに最適である。具体的には、ナット１３６がハウジング１１２にネジで取り付けられてこのモーターと接する場合、ナット接合面１５０と開口末端面１２８との間で、特定の軸方向間隙Ｓが存在している。突切りディスク１１０を設計する際には、間隙Ｓは、上記のように、ガードフランジ１５４に対するウェーブワッシャー１５８からの圧力によってガードフランジ１５４がナットシャンク部１５２の回りを旋回するのが解除可能に制止されるように、選択される。
【００２６】
本発明は、好ましい実施形態を参照して記述されている。当業者は、前述の記述のよって教示されるような、改良、変更および改変を理解する。このような改良、変更および改変は、本発明の範囲内であることが意図される。
【００２７】
ロータリー突切りディスクは、携帯型ハウジングを有する。このハウジングは、開口末端、および開口末端から軸方向に外向きに面しているハウジング接合面を有する。このハウジング内のモーターは、出力シャフトを有する。ガードは、取付穴を備えたガードフランジを有する。アーバは、この取付穴を通って、このシャフトから軸方向に伸長するように、構成されている。このディスクはまた、バネおよび突切りディスク（これは、このアーバで受容可能である）を有する。このバネは、設置位置を有し、これは、このハウジング接合面とガードフランジとの間でそれらによって圧縮係合されて、バネが、このガードを軸の回りで旋回しないように解除可能に制止する。このハウジングはまた、内部ネジ山を有し、このディスクはまた、管状取付具を有する。この取付具は、このアーバを受容するボアを有する。この取付具上の外部ネジ山は、このハウジング内の内部ネジ山と係合可能である。この取付具は、さらに、軸方向に面している接合面、および取付接合面と外部ネジ山との間のシャンク部を有する。設置したとき、このバネは、この取付具のシャンク部で受容される。
【００２８】
【発明の効果】
本発明によれば、携帯型ロータリー突切りディスク用の保護ガードが得られる。
【図面の簡単な説明】
【図１】  図１は、第一の従来技術のロータリー突切りディスクの斜視図である。
【図２】  図２は、図１の突切りディスクの分解斜視図である。
【図３】  図３は、第二の従来技術のロータリー突切りディスクの分解斜視図である。
【図４】  図４は、本発明の好ましい実施形態を包含するロータリー突切りディスクの斜視図である。
【図５】  図５は、図４の突切りディスクの分解斜視図である。
【図６】  図６は、組み立てたときの図５の突切りディスクの分解側面図である。
【図７】  図７は、組み立てたときの図５の突切りディスクの分解断面図である。
【符号の説明】
１１０      携帯型空気式ロータリー突切りディスク
１１２      ハウジング
１１６      アーバ
１２２      ガード
【図１】
0003655848.tif 000002
【図２】
0003655848.tif 000003
【図３】
0003655848.tif 000004
【図４】
0003655848.tif 000005
【図５】
0003655848.tif 000006
【図６】
0003655848.tif 000007
【図７】
0003655848.tif 000008